(57)【要約】【課題】搬送部材が移動することによる像の乱れを低減することができる搬送装置及び画像形成装置を提供する。【解決手段】画像形成装置１０は、中間転写体１０４と、中間転写体１０４を支持する支持ロール１１６、１１８と、中間転写体１０４により搬送される像が用紙に転写される転写位置Ｐ１よりも中間転写体１０４の移動方向において上流側に位置し、中間転写体１０４が支持ロール１１６、１１８の側に移動することを防止する移動防止ロール５１０、５１２とを有する。移動防止ロール５１０、５１２は、支持ロール１１６、１１８が中間転写体１０４にそれぞれに接触する接触位置Ｐ４、Ｐ５を結んで形成される面Ｐ１０上に端部５１０ａ、５１２ａが位置するように配置されている。【選択図】図３
2011123399.tif 000002
【特許請求の範囲】
【請求項１】
一面で像を搬送する帯状の搬送部材と、
前記搬送部材を他面から支持する複数の支持部材と、
前記搬送部材により搬送される像が記録媒体に転写される転写位置よりも前記搬送部材の移動方向において上流側に位置し、前記搬送部材が前記他面側に移動することを防止する移動防止部材と、
を有する搬送装置。
【請求項２】
前記移動防止部材は、互いに隣り合う２つの前記複数の支持部材が前記搬送部材にそれぞれに接触する位置を結んで形成される面上に前記搬送部材側の端部が位置するように配置された請求項１記載の搬送装置。
【請求項３】
前記移動防止部材は、前記転写位置から絶縁距離以上離間するように配置された請求項１又は２記載の搬送装置。
【請求項４】
前記移動防止部材は、前記搬送部材に対して、前記搬送部材に記録媒体の先端部が衝突する面側と逆側に配置された請求項１乃至３いずれか記載の搬送装置。
【請求項５】
前記複数の支持部材の少なくとも１つを支持し、搬送装置本体内に着脱される着脱構造体をさらに有し、
前記移動防止部材は、前記着脱構造体に支持されている請求項１乃至４いずれか記載の搬送装置。
【請求項６】
前記移動防止部材を複数有し、
複数の前記移動部材が、前記搬送部材の移動方向に沿って配置された請求項１乃至５いずれか記載の搬送装置。
【請求項７】
像を形成する像形成部と、
前記像形成部で形成された像を搬送する搬送装置と、
を有し、
前記搬送装置は、
一面で像を搬送する帯状の搬送部材と、
前記搬送部材を他面から支持する複数の支持部材と、
前記搬送部材により搬送される像が記録媒体に転写される転写位置よりも前記搬送部材の移動方向において上流側に位置し、前記搬送部材が前記他面側に移動することを防止する移動防止部材と、
を有する画像形成装置。
【発明の詳細な説明】
【技術分野】
【０００１】
本発明は、搬送装置及び画像形成装置に関する。
【背景技術】
【０００２】
特許文献１には、潜像を担持する潜像担持体と、この潜像担持体上の潜像を可視像化した画像が転移担持される中間転写ベルトと、この中間転写ベルトとの間に転写ニップ域を形成した状態で、前記中間転写ベルト上の画像を記録材に転写する転写部材とを備えた画像形成装置において、画像形成装置本体に対して回動自在に設けられて画像形成装置本体を開閉する扉ユニットと、この扉ユニットの内側に設けられ且つ前記転写部材を有する転写ユニットとを備え、この転写ユニットは、中間転写ベルトとの間で転写ニップ域を形成するセット位置及び中間転写ベルトから離間したリトラクト位置との間で前記転写部材を移動可能に保持するリトラクト機構と、前記セット位置にて前記転写部材を位置決めするように画像形成装置本体側に形成された位置決め溝に当接する当接部とを有する画像形成装置が開示されている。
【先行技術文献】
【特許文献】
【０００３】
【特許文献１】特開２００７−１２８１０８号公報
【発明の概要】
【発明が解決しようとする課題】
【０００４】
本発明は、搬送部材が移動することによる像の乱れを低減することができる搬送装置及び画像形成装置を提供することを目的とする。
【課題を解決するための手段】
【０００５】
請求項１に係る本発明は、一面で像を搬送する帯状の搬送部材と、前記搬送部材を他面から支持する複数の支持部材と、前記搬送部材により搬送される像が記録媒体に転写される転写位置よりも前記搬送部材の移動方向において上流側に位置し、前記搬送部材が前記他面側に移動することを防止する移動防止部材と、を有する搬送装置である。
【０００６】
請求項２に係る本発明は、前記移動防止部材は、互いに隣り合う２つの前記複数の支持部材が前記搬送部材にそれぞれに接触する位置を結んで形成される面上に前記搬送部材側の端部が位置するように配置された請求項１記載の搬送装置である。
【０００７】
請求項３に係る本発明は、前記移動防止部材は、前記転写位置から絶縁距離以上離間するように配置された請求項１又は２記載の搬送装置である。
【０００８】
請求項４に係る本発明は、前記移動防止部材は、前記搬送部材に対して、前記搬送部材に記録媒体の先端部が衝突する面側と逆側に配置された請求項１乃至３いずれか記載の搬送装置。
【０００９】
請求項５に係る本発明は、前記複数の支持部材の少なくとも１つを支持し、搬送装置本体内に着脱される着脱構造体をさらに有し、前記移動防止部材は、前記着脱構造体に支持されている請求項１乃至４いずれか記載の搬送装置である。
【００１０】
請求項６に係る本発明は、前記移動防止部材を複数有し、複数の前記移動部材が、前記搬送部材の移動方向に沿って配置された請求項１乃至５いずれか記載の搬送装置である。
【００１１】
請求項７に係る本発明は、像を形成する像形成部と、前記像形成部で形成された像を搬送する搬送装置と、を有し、前記搬送装置は、一面で像を搬送する帯状の搬送部材と、前記搬送部材を他面から支持する複数の支持部材と、前記搬送部材により搬送される像が記録媒体に転写される転写位置よりも前記搬送部材の移動方向において上流側に位置し、前記搬送部材が前記他面側に移動することを防止する移動防止部材と、を有する画像形成装置である。
【発明の効果】
【００１２】
請求項１に係る本発明によれば、本構成を有しない場合と比較して、搬送部材が移動することによる像の乱れを低減することができる搬送装置を提供することができる。
【００１３】
請求項２に係る本発明によれば、請求項１に係る本発明が奏する効果を奏することに加えて、本構成を有しない場合と比較して、移動防止部材の寿命を延ばすことができる搬送装置を提供することができる。
【００１４】
請求項３の本発明によれば、請求項１又は２に係る本発明が奏する効果を奏することに加えて、本構成を有しない場合と比較して、安全な搬送装置を提供することができる。
【００１５】
請求項４に係る本発明によれば、請求項１乃至３いずれかに係る本発明が奏する効果を奏することに加えて、記録媒体の先端部が衝突することによる搬送部材の移動を抑制することができる搬送装置を提供することができる。
【００１６】
請求項５に係る本発明によれば、請求項１乃至４いずれかに係る本発明が奏する効果を奏することに加えて、本構成を有しない場合と比較して、移動防止部材の交換、及び支持部材に対する位置決めを容易に行うことができる搬送装置を提供することができる。
【００１７】
請求項６に係る本発明によれば、請求項１乃至５に係る本発明が奏する効果を奏することに加えて、本構成を有しない場合と比較して、搬送部材が移動することによる像の乱れを低減することができる搬送装置を提供することができる。
【００１８】
請求項７に係る本発明によれば、本構成を有しない場合と比較して、搬送部材が移動することによる像の乱れを低減することができる画像形成装置を提供することができる。
【図面の簡単な説明】
【００１９】
【図１】本発明の実施形態に係る画像形成装置を正面側から示す断面図である。
【図２】図１に示す画像形成装置が有する像形成部の一部を正面側から示す断面図である。
【図３】図１に示す画像形成装置が有する支持ユニットを、本体の一部を破断させて示す正面図である。
【図４】図３に示す支持ユニットを下方から示す斜視図である。
【図５】図３に示す支持ユニットが有する移動防止ロールが配置される位置について説明する図である。
【発明を実施するための形態】
【００２０】
次に、本発明を実施するための形態を図面を参照して説明する。
図１には、本発明の形実施形態に係る画像形成装置１０が示されている。図１に示されるように、画像形成装置１０は、画像形成装置本体１２を有し、画像形成装置本体１２内に、像形成部２０と、転写装置１００と、給紙装置２００と、定着装置２８０と、清掃装置３００とが設けられている。また、画像形成装置本体１２内には搬送路６００が形成されている。
【００２１】
像形成部２０は、現像剤からなる像を形成する像形成部として用いられていて、イエロー現像剤像形成部２４Ｙ、マゼンタ現像剤像形成部２４Ｍ、シアン現像剤像形成部２４Ｃ、及び黒現像剤像形成部２４Ｋを有する。イエロー現像剤像形成部２４Y、マゼンタ現像剤像形成部２４Ｍ、シアン現像剤像形成部２４Ｃ、黒現像剤像形成部２４Ｋは、それぞれが像保持体として用いられる感光体ドラム２６Ｙ、２６Ｍ、２６Ｃ、２６Ｋを有し、それぞれが、イエローの現像剤を用いてイエローの現像剤像を形成し、マゼンタの現像剤を用いてマゼンタの現像剤像を形成し、シアンの現像剤像を用いてシアンの現像剤像を形成し、黒の現像剤を用いて黒の現像剤像を形成する。イエロー現像剤像形成部２４Ｙ、マゼンタ現像剤像形成部２４Ｍ、シアン現像剤像形成部２４Ｃ、及び黒現像剤像形成部２４Ｋの詳細は後述する。
【００２２】
転写装置１００は、中間転写体１０４と、１次転写装置１５０Ｙ、１５０Ｍ、１５０Ｃ、１５０Ｋと、２次転写装置１７０と有する。中間転写体１０４は、像形成部２０で形成された現像剤からなる像を保持する像保持体として用いられているとともに、一面で像を搬送する帯状の搬送部材として用いられている。中間転写体１０４は、この実施形態においては、ベルト形状を有し、無端状であり複数の支持ロール１１０、１１２、１１４、１１６、１１８、１２０によって、他面、すなわち現像剤像を保持する面と逆側面から回転することができるように支持されている。中間転写体１０４は、材料として、例えば、ポリカーボネート樹脂、ポリフッ化ビニリデン樹脂、ポリアルキレンフタレート樹脂、ポリカーボネート／ポリアルキレンフタレートのブレンド材料、エチレンテトラフルオロエチレン共重合体等の熱可塑性樹脂、ポリイミド、ポリイミドとポリアミドの共重合体等の熱硬化性樹脂に導電剤を溶解或いは分散させたもの等を用いることができ、体積抵抗が、例えば１０１１〜１０１４Ω・ｃｍのものが用いられる。
【００２３】
複数の支持ロール１１０、１１２、１１４、１１６、１１８、１２０は、中間転写体１０４を他面から支持する複数の支持部材として用いられている。また、複数の支持ロール１１０、１１２、１１４、１１６、１１８、１２０の少なくとも１つは、中間転写体１０４に駆動を伝達する伝達ロールとして用いられていて、図を省略する例えば歯車列等の駆動伝達機構等を介して、例えばモータ等の図示を省略する駆動源からの駆動が伝達され、駆動が伝達されることにより回転し、中間転写体１０４を回転させる。この実施形態では、支持ロール１１０が駆動伝達ロールとして用いられている。また、複数の支持ロール１１０、１１２、１１４、１１６、１１８、１２０の少なくとも１つは、中間転写体１０４にテンションを付与するテンションロールとして用いられていて、この実施形態では、支持ロール１１４がテンションロールとして用いられている。
【００２４】
１次転写装置１５０Ｙ、１５０Ｍ、１５０Ｃ、１５０Ｋは、１次転写バイアスが印加される１次転写ロール１５２Ｙ、１５２Ｍ、１５２Ｃ、１５２Ｋ（図２参照）をそれぞれに有し、感光体ドラム２６Ｙ、２６Ｍ、２６Ｃ、２６Ｋの表面に形成された現像剤からなる像を、中間転写体１０４に転写する。
【００２５】
２次転写装置１７０は、２次転写ロール１７２を有し、２次転写ロール１７２に対して、先述の支持ロール１１８が中間転写体１０４を介して対向する位置に設けられていて、支持ロール１１８に転写バイアスが印加されることで、中間転写体１０４から用紙に現像剤が２次転写される。
【００２６】
支持ロール１１８は、支持ユニット５００に支持されている。支持ユニット５００は、搬送装置本体としても用いられる画像形成装置本体１２内に着脱される着脱構造体として用いられていて、画像形成装置本体１２内に着脱される。支持ユニット５００の詳細は、後述する。
【００２７】
定着装置２８０は、用紙を加熱する加熱ロール２８２と、加熱ロール２８２に用紙を加圧する加圧ロール２８４とを有する。
【００２８】
給紙装置２００は、記録媒体として用いられる用紙を積層した状態で収納する、例えば２つの用紙収納部２０４、２０４と、用紙収納部２０４、２０４に収納された用紙を、送り出す送り出しロール２０６、２０６と、用紙が重なった状態で送り出されることを防止するために用いられるリタードロール２０８、２０８とを有する。
【００２９】
搬送路６００は、給紙装置２００から２次転写装置１７０に向けて用紙を搬送し、２次転写装置１７０から画像形成装置本体１２外へ排出するように用紙が搬送される搬送路である。搬送路６００に沿って、用紙搬送方向における上流側から順に、先述の給紙装置２００、搬送ロール６０４、６０４、レジストロール６１０、先述の２次転写装置１７０、用紙搬送装置６１２、６１２、６１２、先述の定着装置２８０、及び排出ロール６１６が設けられている。
【００３０】
搬送ロール６０４、６０４は、用紙をレジストロール６１０に向けて搬送する。レジストロール６１０は、２次転写装置１７０に向けて搬送される用紙の先端部の２次転写装置１７０側に向けての移動を一時的に停止させ、中間転写体１０４の現像剤像が１次転写された部分が２次転写装置１７０の位置に到達するタイミングに合致するように、用紙の先端部の２次転写装置１７０に向けての移動を再開させる。
【００３１】
用紙搬送装置６１２、６１２、６１２は、上側の面に未定着の現像剤像が転写された状態にある用紙を下側から支持するようにして、定着装置２８０へ向けて用紙を搬送する。排出ロール６１６は、定着装置２８０で現像剤像が定着された用紙を画像形成装置本体１２外に向けて搬送する。
【００３２】
清掃装置３００は、中間転写体１０４の表面から現像剤を掻き落とす掻き落し部材として用いられるクリーニングブレード３０４を有する。また、清掃装置３００は、中間転写体１０４の表面から現像剤を除去する機能を有するとともに、中間転写体１０４を帯電する機能を有するロールブラシ３０８を有する。
【００３３】
図２には、イエロー現像剤像形成部２４Ｙが示されている。マゼンタ現像剤像形成部２４Ｍ、シアン現像剤像形成部２４Ｃ、黒現像剤像形成部２４Ｋは用いる現像剤の色が異なるものの、以下に説明をするイエロー現像剤像形成部２４Ｙと構成が同一であるため説明を省略する。
【００３４】
図２に示すように、イエロー現像剤像形成部２４Ｙは、先述の感光体ドラム２６Ｙと、帯電装置３０Ｙと、潜像形成装置３２Ｙと、現像装置３４Ｙと、クリーニング装置３８Ｙと有する。帯電装置３０Ｙは、例えば帯電ロールを有し、感光体ドラム２６Ｙの表面を均一に帯電する。潜像形成装置３２Ｙとしては、例えばＬＥＤアレイが用いられる。潜像形成装置３２Ｙは、帯電装置３０Ｙによって均一に帯電された感光体ドラム２６Ｙの表面に光を照射することによって、感光体ドラム２６Ｙの表面に潜像を形成する。
【００３５】
現像装置３４Ｙは、現像剤保持体として用いられる現像ロール３６Ｙを有し、現像ロール３６Ｙでイエローの現像剤を感光体ドラム２６Ｙに供給し、感光体ドラム２６Ｙの表面に形成された潜像をイエローの現像剤によって現像する。クリーニング装置３８Ｙは、例えば、掻き落し部材を有し、掻き落し部材で、１次転写ロール１５２Ｙによってイエローの現像剤像が中間転写体１０４に転写された後に感光体ドラム２６Ｙの表面に残留したイエローの現像剤像を掻き落とす。
【００３６】
図３には、支持ユニット５００近傍が拡大して示され、図４には支持ユニット５００が示されている。図３に示すように、２次転写装置１７０は、先述の２次転写ロール１７２と、用紙が搬送される方向において２次転写ロール１７２よりも下流側に位置する支持ロール１７４と、２次転写ロール１７２と支持ロール１７４とに掛け渡され、回転することができるように支持された分離用ベルト１７６とを有する。２次転写ロール１７２は接地されている。分離用ベルト１７６は、用紙を吸着するようにして、現像剤像が２次転写された用紙を中間転写体１０４から分離するために用いられている。
【００３７】
支持ユニット５００は、支持ユニット本体５０２を有し、支持ユニット本体５０２に、先述の支持ロール１１８が回転することができるように支持されている。また、支持ユニット本体５０２には、支持ロール１１８に接触し、支持ロール１１８に２次転写のためのバイアスを印加するバイアス印加部材として用いられる印加ロール５０４が装着されている。印加ロール５０４には、電源ユニット５０６が接続されている。
【００３８】
以上で説明をした構成により、２次転写ロール１７２が分離用ベルト１７６を介して中間転写体１０４に接触する位置であり、中間転写体１０４によって搬送されてきた現像剤像が用紙に転写される位置である転写位置Ｐ１において、中間転写体１０４表面の現像剤が搬送路６００を搬送されてきた用紙に転写される。この際、用紙の先端部は、転写位置Ｐ１よりも中間転写体１０４の搬送方向における上流側の位置である衝突位置Ｐ２に、まず衝突し、次に衝突位置Ｐ２から転写位置Ｐ１へと導かれる。
【００３９】
また、支持ユニット５００の支持ユニット本体５０２には、移動防止ロール５１０、５１２が、支持ユニット本体５０２に対して回転することができるように、中間転写体１０４に対して、中間転写体１０４の衝突位置Ｐ２において用紙の先端部が衝突する面側と逆側の位置に配置されるように取り付けられている。移動防止ロール５１０、５１２は、転写位置Ｐ１よりも中間転写体１０４の回転方向において上流に位置し、中間転写体１０４が、互いに隣り合う支持部材である支持ロール１１６と支持ロール１１８との側、すなわち中間転写体１０４の現像剤を保持する面と逆側の面側に移動することを防止している。このため、例えば、用紙の先端部が衝突位置Ｐ２に衝突して、中間転写体１０４が支持ロール１１６及び支持ロール１１８の側に押されたり、回転することで中間転写体１０４が振動したりしても、移動防止ロール５１０、５１２によって、中間転写体１０４は、支持ロール１１６及び支持ロール１１８の側に移動しにくい。
【００４０】
図５には、移動防止ロール５１０、５１２が配置される位置について説明されている。
図５に示すように、移動防止ロール５１０、５１２は、互いに隣り合う支持部材である支持ロール１１６、支持ロール１１８が中間転写体１０４にそれぞれ接触する位置である接触位置Ｐ４と接触位置Ｐ５とを結んで形成される面Ｓ１０上に、搬送部材側の端部５１０ａ、５０１２ａが位置するように配置されている。このため、移動防止ロール５１０、５１２は、中間転写体１０４に張力を付与することなく、中間転写体１０４の支持ロール１１６、１１８側への移動を防止している。
【００４１】
移動防止ロール５１０、５１２の端部５１０ａ、５１２ａが、面Ｓ１０上に位置するとは、移動防止ロール５１０、５１２の加工時の公差と、例えば支持ユニット本体５０２に移動防止ロール５１０、５１２を組み付ける際に生じる公差とを許容するものである。例えば、移動防止ロール５１０、５１２の径が１０ｍｍである場合、端部５１０ａ、５１２ａが０．５ｍｍ〜１ｍｍ程度まで面Ｓ１０から離間していても良い。
【００４２】
移動防止ロール５１０、５１２の端部５１０ａ、５１２ａが、面Ｓ１０上に位置するように移動防止ロール５１０、５１２を配置しているため、移動防止ロール５１０、５１２の中間転写体１０４に従動することにより生じる回転が抑制され、例えば軸受等の移動防止ロール５１０、５１２を支持する部材が長寿命となり、中間転写体１０４に接触することによる移動防止ロール５１０、５１２の磨耗が生じにくく、移動防止ロール５１０、５１２が長寿命となる。
【００４３】
転写位置Ｐ１に近い側の移動防止部材である移動防止ロール５１２は、転写位置Ｐ１との間の距離Ｌ１が、転写位置からの絶縁距離以上となるように配置されている。このため、安全が確保される。ここで、絶縁距離とは、絶縁物で隔離することなく電気的絶縁を達成するための距離をいう。
【００４４】
また、移動防止ロール５１０、５１２は、中間転写体１０４の移動方向に沿って配置されている。このため、移動防止ロール５１０と移動防止ロール５１２との間の位置における中間転写体１０４の移動が特に発生しにくくなる。
【００４５】
また、上述のように移動防止ロール５１０、５１２は、支持ロール１１８が支持された部材である支持ユニット本体５０２支持されているので、支持ロール１１８に対する位置決めが正確になされる。また、移動防止ロール５１０、５１２の画像形成装置本体１２内からの取り出しと、画像形成装置本体１２内への装着が容易である。
【産業上の利用可能性】
【００４６】
以上で説明をしたように、本発明は、複写機、ファクシミリ装置、プリンター等の画像形成装置と、例えばこれらの画像形成装置に用いられる搬送装置に適用することができる。
【符号の説明】
【００４７】
１０・・・画像形成装置
１２・・・画像形成装置本体
１０４・・・中間転写体
１１６・・・支持ロール
１１８・・・支持ロール
１７０・・・２次転写装置
１７２・・・２次転写ロール
５００・・・支持ユニット
５１０・・・移動防止ロール
５１０ａ・・・端部
５１２・・・移動防止ロール
５１２ａ・・・端部
Ｌ１・・・距離
Ｐ１・・・転写位置
Ｐ２・・・衝突位置
Ｐ２・・・衝突位置
Ｐ４・・・接触位置
Ｐ５・・・接触位置
Ｓ１０・・・面
【図１】
2011123399.tif 000003
【図２】
2011123399.tif 000004
【図３】
2011123399.tif 000005
【図４】
2011123399.tif 000006
【図５】
2011123399.tif 000007